(57)【要約】      （修正有）【課題】電源供給器の中では最も普及しているＰＳ／２型式を設けることができ、ハウジングの高さを抑えたコンピュータの電源供給器の取り付け構造を提供する。【解決手段】ハウジングと蓋体からなり、該ハウジングの底板には適宜な位置に凹部が設けられ、該凹部に電源供給器の一側面を立てた状態で設け、蓋体をハウジングの上方に設けて蓋をする構造からなる。【選択図】図５
0003125255.tif 000002
【実用新案登録請求の範囲】
【請求項１】
ハウジングと蓋体からなり、
該ハウジングの底板には適宜な位置に凹部が設けられ、該凹部に電源供給器の一側面を立てた状態で設け、蓋体をハウジングの上方に設けて蓋をする構造からなることを特徴とするコンピュータの電源供給器の取り付け構造。
【請求項２】
前記ハウジングの底板は適宜な位置に一体に成型した凹部を具えてなることを特徴とする請求項１に記載のコンピュータの電源供給器の取り付け構造。
【請求項３】
前記ハウジングの底板は適宜な位置に溝を形成し、該溝に設けられたフレームの長手方向の端縁部には摺動面が設けられ、フレームの底部には階段状に形成された凹面を具えてなり、フレームの摺動面を溝の外周縁部に位置決めして凹部を形成することを特徴とする請求項１に記載のコンピュータの電源供給器の取り付け構造。
【請求項４】
前記ハウジングの底板の底面端縁部にピンを設けてなり、該凹部の深さはピンの高さと同じに形成することが好ましいことを特徴とする請求項１、２、３のいずれか１項に記載のコンピュータの電源供給器の取り付け構造。
【請求項５】
前記電源供給器は、ＰＳ／２型式を設けることが好ましいことを特徴とする請求項１に記載のコンピュータの電源供給器の取り付け構造。
【請求項６】
前記ハウジングは第二側面に電源供給器に対応して開口を設けることを特徴とする請求項１に記載のコンピュータの電源供給器の取り付け構造。
【考案の詳細な説明】
【技術分野】
【０００１】
この考案は、コンピュータの電源供給器の取り付け構造に関し、特にコンピュータに電源供給器を設ける場合のコンピュータの電源供給器の取り付け構造に関する。
【背景技術】
【０００２】
従来のパーソナルコンピュータ（図１、２参照）は、ハウジング１０、２０と、該ハウジング１０、２０の内部側面に設けられた保存デバイス１１、２１と、該保存デバイス１１、２１に対向する位置に設けられた背面板１２、２２と、該背面板１２、２２に設けるホスト（図示しない）の形式（ＡＴＸ、Ｂａｂｙ  ＡＴＸなど）に対応して形成された複数の挿入溝１３、２３と、該背面板１２、２２上の挿入溝１３、２３が形成された部分を除いた空間に形成されたファンや電源供給器１５、２５を設けるために供する貫通孔１４、２４とを含んでなる。
【０００３】
係る構造からなるコンピュータの内部の配置は、電源供給器１５、２５が背面板１２、２２及び該背面板１２、２２に形成された挿入溝１３、２３と、ファンの貫通孔１４、２４とを設けられた空間に設けられる。該ハウジング１０の内部に大型のメインボード（ＡＴＸなど）を設ける場合、背面板１２には７つの挿入溝１３が必要になる。
【０００４】
しかしながら、７つの挿入溝１３を形成すると、背面板１２における挿入溝１３が形成された部分を除いた空間が不足するため、小型の電源供給器１５（Ｍｉｃｒｏ  Ｐｏｗｅｒ  Ｓｕｐｐｌｙ）しか設けることができない。また、小型の電源供給器は電力の出力効率が十分でなく、且つ電子製品市場の主要な製品ではないため、市場への供給量が少なく、価格も高い。また、背面板２２に最も一般的で、価格の安いＰＳ／２規格の電源供給器２５を設ける場合、ＰＳ／２規格の電源供給器２５の体積が大きく、背面板２２の殆どの空間を占めてしまう。
【０００５】
よって、ハウジング２０の内部には３つの挿入溝２３を設けて、小型のメインボード（ＢａｂｙＡＴＸなど）を設ける。しかしながら、ＰＳ／２規格の電源供給器２５の場合、挿入溝２３の数が少なく、その他周辺設備との接続に限りがあるため拡充性が十分でないとともに、小型のホストは通常、オール・イン・ワンに設計されているため、市場においても一般的ではなく、販売価格も高くなる
【考案の開示】
【考案が解決しようとする課題】
【０００６】
この考案は、電源供給器の中では最も普及しているＰＳ／２型式を設けることができ、ハウジングの高さを抑えたコンピュータの電源供給器の取り付け構造を提供することを課題とする。
【課題を解決するための手段】
【０００７】
そこで本考案者は、従来の技術に鑑み鋭意研究を重ねた結果、ハウジングと蓋体からなり、該ハウジングの底板には適宜な位置に凹部が設けられ、該凹部に電源供給器の一側面を立てた状態で設け、蓋体をハウジングの上方に設けて蓋をする構造によって課題を解決できる点に着眼し、係る知見に基づき本考案を完成させた。
以下、この考案について具体的に説明する。
【０００８】
請求項１に記載するハウジングと蓋体からなり、
該ハウジングの底板には適宜な位置に凹部が設けられ、該凹部に電源供給器の一側面を立てた状態で設け、蓋体をハウジングの上方に設けて蓋をする構造からなる。
【０００９】
請求項２に記載するコンピュータの電源供給器の取り付け構造は、請求項１におけるハウジングの底板が適宜な位置に一体に成型した凹部を具えてなる。
【００１０】
請求項３に記載するコンピュータの電源供給器の取り付け構造は、請求項１におけるハウジングの底板が適宜な位置に溝を形成し、該溝に設けられたフレームの長手方向の端縁部には摺動面が設けられ、フレームの底部には階段状に形成された凹面を具えてなり、フレームの摺動面を溝の外周縁部に位置決めして凹部を形成する。
【００１１】
請求項４に記載のコンピュータの電源供給器の取り付け構造は、請求項１、２、３におけるハウジングの底板の底面端縁部にピンを設けてなり、該凹部の深さはピンの高さと同じに形成することが好ましい。
【００１２】
請求項５に記載するコンピュータの電源供給器の取り付け構造は、請求項１における電源供給器が、ＰＳ／２型式を設けることが好ましい。
【００１３】
請求項６に記載するコンピュータの電源供給器の取り付け構造は、請求項１におけるハウジングが第二側面に電源供給器に対応して開口を設ける。
【考案の効果】
【００１４】
この考案のコンピュータの電源供給器の取り付け構造は、最も普及している電源供給器を設けることができるため、コストを減らし、販売価格も抑えることができるとともに、ハウジングの高さを低くしてハウジングの体積を減らし、ハウジング全体を薄くすることができるという効果を有する。
【考案を実施するための最良の形態】
【００１５】
この考案は、電源供給器の中では最も普及しているＰＳ／２型式を設けることができ、ハウジングの高さを抑えたコンピュータの電源供給器の取り付け構造であって、ハウジングと蓋体からなり、該ハウジングの底板には適宜な位置に凹部が設けられ、該凹部に電源供給器の一側面を立てた状態で設け、蓋体をハウジングの上方に設けて蓋をする構造からなる。
係る構成のコンピュータの電源供給器の取り付け構造について、その構造と特徴を詳述するために具体的な実施例を挙げ、以下に説明する。
【実施例】
【００１６】
図３、４に、この考案のコンピュータの電源供給器の取り付け構造を開示する。コンピュータのハウジング３は、第一側面３１と、該第一側面３１に対向して設ける第二側面３２と、該第一側面３１と垂直に設けられる第三、第四側面３３、３４と、底板３５と、蓋体３６とを含んでなる。係る構成のハウジング３の第一側面３１の内側にはフレーム３７０が設けられ、該フレーム３７０の内部には保存デバイス３７が設けられる。また、ハウジング３の底板３５の適宜な位置に溝３５１が形成され、該溝３５１にはフレーム３５２が設けられる。該フレーム３５２は、長手方向の端縁部に上方に延伸して形成された摺動面３５３と、底部に階段状に形成された凹面３５４とを具えてなり、摺動面３５３を利用してフレーム３５２を溝３５１の外周縁部に位置決めして、ハウジング３の底板３５の上方に凹部を形成する（図４参照）。
【００１７】
また、底板３５は底面端縁部にピン３５５を設けてなる。該凹部の深さはピン３５５の高さと同じが好ましい。該電源供給器４は凹部に立てて設けるためにＰＳ／２の規格を採用することが好ましく、蓋体３６がちょうどハウジング３の上方に設けられる。また、ハウジングの第二側面３２には、電源供給器４に対応して開口３２１が設けられ、ケーブルを接続し、コンピュータ内部や電源供給器４が発生する熱を外部に放出するために供することができ、且つ第二側面３２には配置されたメインボード５には、複数の挿入溝３２２と貫通孔３２３が設けられる。
【００１８】
上述の構造からなる電源供給器４は凹部上に立てた状態で設けることができるため、底板３５及び第二側面３２に占める空間が減少し、異なる形式のメインボード５でも設けることができる。よって、利便性と経済性に優れていると同時に、ハウジング３の高さを低くするため、全体の厚さが薄く、軽量になり、体積や設置空間を減少することができる。
【００１９】
さらに、この考案の底板３５は、一体成型の方法で形成するため、所定の位置に類似した階段状の凹面３５４を具えた凹部を形成することができる。一体成型における従来の押圧成型の技術はここでは詳述しない。
【００２０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２１】
【図１】従来のコンピュータのハウジングを示した斜視図である。
【図２】従来の他のコンピュータのハウジングを示した斜視図である。
【図３】この考案のコンピュータのハウジングを示した分解図である。
【図４】この考案のコンピュータのハウジングの構造を示した斜視図である（蓋体は図示しない）。
【図５】この考案のコンピュータのハウジングを示した背面図である。
【符号の説明】
【００２２】
１０      ハウジング
１１      保存デバイス
１２      背面板
１３      挿入溝
１４      貫通孔
１５      電源供給器
２０      ハウジング
２１      保存デバイス
２２      背面板
２３      挿入溝  
２４      貫通孔
２５      電源供給器
３        ハウジング
３１      第一側面
３２      第二側面
３２１    開口
３２２    挿入溝
３２３    貫通孔
３３      第三側面
３４      第四側面
３５      底板
３５１    溝
３５２    フレーム
３５３    摺動面
３５４    凹面
３５５    ピン
３６      蓋体
３７      保存デバイス
３７０    フレーム
４        電源供給器
５        メインボード
【図１】
0003125255.tif 000003
【図２】
0003125255.tif 000004
【図３】
0003125255.tif 000005
【図４】
0003125255.tif 000006
【図５】
0003125255.tif 000007